(57)【要約】【課題】映像情報に乱れが生じても、文字の視認性を確保する。【解決手段】背景映像と文字画像を含む映像情報から文字画像の文字を認識する文字認識部１２と、文字を表示するための文字画像を記憶する文字画像記憶部１６と、文字認識部によって認識された文字を表す文字画像を文字画像記憶部から読み出し、この読み出した文字画像を文字認識部によって認識された文字画像と置換する文字データ変換部１５を備え、文字データ変換部１５によって置換された文字画像と背景映像を合成した画像を表示部１９に表示させる。【選択図】図１
2008158859.tif 000002
【特許請求の範囲】
【請求項１】
背景映像と文字画像を含む映像情報から前記文字画像の文字を認識する文字認識部（１２）と、
文字を表示するための文字画像を記憶する文字画像記憶部（１６）と、
前記文字認識部によって認識された文字を表す文字画像を前記文字画像記憶部から読み出し、この読み出した文字画像を前記文字認識部によって認識された文字画像と置換する文字データ変換部（１５）と、
前記文字データ変換部によって置換された前記文字画像と前記背景映像を合成した画像を表示部（１９）に表示させる表示制御部（１８）と、を備えたことを特徴とする表示装置。
【請求項２】
文字列を含む辞書データを登録する辞書データ記憶部（１４）と、
前記文字認識部によって認識された文字が前記辞書データ記憶部に記憶された前記辞書データに登録されているか否かに基づいて前記認識された文字が誤認識されていることを判定した場合、前記誤認識されていると判定した文字を正規の文字に訂正する誤り訂正部（１３）と、を備え、
前記文字データ変換部は、前記誤り訂正手段によって訂正された前記正規の文字を前記文字認識部によって認識された文字画像と置換することを特徴とする請求項１に記載の表示装置。
【請求項３】
ユーザの操作に応じて前記表示部に表示された前記文字画像を修正することが可能となっており、
前記文字画像の修正前と修正後の対応関係を記憶する修正履歴記憶部（２０）を備え、
前記文字データ変換部は、前記文字認識部によって認識された文字に前記ユーザの操作に応じて修正された文字画像が含まれる場合、前記修正履歴記憶部に記憶された内容に従って前記文字画像を修正し、該修正した文字画像を優先して置換することを特徴とする請求項１または２に記載の表示装置。
【請求項４】
前記文字データ変換部によって置換された前記文字画像を予め定められたサイズに変更するサイズ変更部（１７）を備え、
前記表示制御部は、前記サイズ変更部によって予め定められたサイズに変更された前記文字画像と前記背景映像を合成した画像を前記表示部に表示させることを特徴とする請求項１ないし３のいずれか１つに記載の表示装置。
【発明の詳細な説明】
【技術分野】
【０００１】
本発明は、映像情報に応じた画像を表示部に表示する表示装置に関する。
【背景技術】
【０００２】
従来、入力される映像情報に含まれるテロップや字幕等の文字データを認識し、認識した文字データのサイズや表示位置を変更して、背景映像に重ねて表示する表示装置が種々提案されている（例えば、特許文献１〜３参照）。
【特許文献１】特開２００５−２５２３６５号公報
【特許文献２】特開２００５−８４１５７号公報
【特許文献３】特開平１０−１０８１２９号公報
【発明の開示】
【発明が解決しようとする課題】
【０００３】
上記したような表示装置は、映像信号を入力するためのケーブルの長さが長い場合、映像信号の波形劣化により表示映像に乱れが生じ、文字がぼやけて見える場合がある。また、ＴＶ放送波を受信して表示する場合、高層ビル等への放送波の反射により表示映像に乱れが生じ、文字がいくつも重なって見えるゴースト現象が発生する場合がある。
【０００４】
特許文献１〜３に記載された表示装置は、映像情報から切り出した文字画像に対して、サイズ変更、位置変更等の処理を施して表示するようになっているため、上記したように映像情報に乱れが生じた場合、背景画像に重ねて表示する文字もぼやけて見えたり、文字がいくつも重なって見えたりして、表示品位が悪化し、視認性が低下してしまうといった問題がある。
【０００５】
本発明は上記問題に鑑みたもので、映像情報に乱れが生じても、文字の視認性を確保することを目的とする。
【課題を解決するための手段】
【０００６】
本発明の第１の特徴は、背景映像と文字画像を含む映像情報から文字画像の文字を認識する文字認識部（１２）と、文字を表示するための文字画像を記憶する文字画像記憶部（１６）と、文字認識部によって認識された文字を表す文字画像を文字画像記憶部から読み出し、この読み出した文字画像を文字認識部によって認識された文字画像と置換する文字データ変換部（１５）と、文字データ変換部によって置換された文字画像と背景映像を合成した画像を表示部（１９）に表示させる表示制御部（１８）と、を備えたことである。
【０００７】
このような構成では、文字認識部によって認識された文字を表す文字画像を文字画像記憶部から読み出し、この読み出した文字画像を文字認識部によって認識された文字画像と置換し、この置換した文字画像と背景映像が合成された画像が表示部（１９）に表示されるので、映像情報に乱れが生じても、文字の視認性を確保することができる。
【０００８】
また、本発明の第２の特徴は、文字列を含む辞書データを登録する辞書データ記憶部（１４）と、文字認識部によって認識された文字が辞書データ記憶部に記憶された辞書データに登録されているか否かに基づいて認識された文字が誤認識されていることを判定した場合、誤認識されていると判定した文字を正規の文字に訂正する誤り訂正部（１３）と、を備え、文字データ変換部は、誤り訂正手段によって訂正された正規の文字を文字認識部によって認識された文字画像と置換することである。
【０００９】
このような構成では、認識された文字が誤認識されていることを判定した場合、誤認識されていると判定した文字が正規の文字に訂正されるので、文字画像の文字を認識する際に誤認識しても、認識した文字を正規の文字に修正して表示することが可能である。
【００１０】
本発明の第３の特徴は、ユーザの操作に応じて表示部に表示された文字画像を修正することが可能となっており、文字画像の修正前と修正後の対応関係を記憶する修正履歴記憶部（２０）を備え、文字データ変換部は、文字認識部によって認識された文字にユーザの操作に応じて修正された文字画像が含まれる場合、修正履歴記憶部に記憶された内容に従って文字画像を修正し、該修正した文字画像を優先して置換することである。
【００１１】
このように、ユーザの操作に応じて表示部に表示された文字画像を修正することが可能となっており、認識された文字にユーザの操作に応じて修正された文字画像が含まれる場合、修正履歴記憶部に記憶された内容に従って文字画像が修正され、該修正された文字画像が優先して置換されるので、ユーザの修正内容を文字画像の表示に反映させることが可能である。
【００１２】
本発明の第４の特徴は、文字データ変換部によって置換された文字画像を予め定められたサイズに変更するサイズ変更部（１７）を備え、表示制御部は、サイズ変更部によって予め定められた大きさに変更された文字画像と背景映像を合成した画像を表示部に表示させることである。
【００１３】
このような構成では、置換された文字画像が予め定められた大きさに変更されるので、例えば、映像情報に含まれる文字画像が小さくても、予め定められた大きさに拡大表示され、視認性を向上させることができる。
【００１４】
なお、上記各手段の括弧内の符号は、後述する実施形態に記載の具体的手段との対応関係を示すものである。
【発明を実施するための最良の形態】
【００１５】
（第１実施形態）
本発明の第１実施形態に係る表示装置の構成を図１に示す。本実施形態における表示装置１は、車両に搭載され、図示しないＤＶＤプレイヤーから入力されるＮＴＳＣ信号に応じた映像を表示するモニタとして用いられる。なお、ＤＶＤプレイヤーと表示装置１との間は、図示しないケーブルを介して接続されている。
【００１６】
本表示装置１は、映像信号処理部１０、ビデオバッファ１１、文字認識部１２、誤り訂正部１３、辞書データ記憶部１４、文字データ変換部１５、文字画像記憶部１６、サイズ位置変更部１７、画面合成部（表示制御部）１８および表示部１９を備えている。
【００１７】
映像信号処理部１０は、ＤＶＤプレイヤーから入力されるＮＴＳＣ信号を復調し、この復調によって得られたＲＧＢ映像情報をビデオバッファ１１に格納する。このＲＧＢ映像情報は、背景映像と文字画像が一体となった画像を表す情報である。
【００１８】
文字認識部１２は、背景と文字の明暗により文字画像のみを取り出すコントラスト検出部１２ａと、このコントラスト検出部１２ａによって取り出された文字画像の色補間を行う色変換部１２ｂを有し、ビデオバッファ１１に格納された背景映像と文字画像を含む映像情報から背景映像と文字画像（文字データ）を分離するとともに、文字画像の文字を認識する。なお、文字画像の描画された位置の背景映像は、色変換部１２ｂにより補間される。
【００１９】
辞書データ記憶部１４は、文字列を含む辞書データを記憶する不揮発性記憶媒体である。
【００２０】
誤り訂正部１３は、文字認識部１２によって認識された文字が辞書データ記憶部１４に登録されているか否かに基づいて文字認識部１２によって認識された文字が誤認識されていることを判定した場合に、誤認識された文字を正規の文字に訂正する。辞書データ記憶部１４には、例えば、「目」と「日」、「口」と「回」、「が」と「か」、「は」と「ば」、「Ｐ」と「Ｂ」、「Ｉ」と「Ｌ」、「Ｅ」と「Ｆ」、「ａ」と「ｅ」など、誤認識されやすい形状の似た文字同士を対応付けたテーブルが用意されており、このテーブルを用いて誤認識された文字の一部を置換して正規の文字に訂正する。これにより、例えば、「目本」が「日本」に訂正される。
【００２１】
文字画像記憶部１６は、漢字、数字、アルファベット等の文字画像を記憶する不揮発性記憶媒体である。本実施形態では、特定のフォントにより文字画像を表したフォントデータとして文字画像が不揮発性記憶媒体に記憶されている。
【００２２】
文字データ変換部１５は、誤り訂正部１３によって訂正された文字を表す文字画像を文字画像記憶部１６から読み出し、この読み出した文字画像を誤り訂正部１３によって訂正された文字を表す文字画像と置換する。本実施形態においては、入力される全ての文字データに対して文字画像の置換を行う。
【００２３】
サイズ位置変更部１７は、文字データ変換部１５によって置換された文字画像を予め定められたサイズと位置に変更したデータを出力する。
【００２４】
画面合成部１８は、映像処理ＩＣによって構成され、サイズ位置変更部１７から入力されるデータと、文字認識部１２から入力される背景映像を合成した画像を生成する。
【００２５】
表示部１９は、液晶等のディスプレイによって構成され、画面合成部１８によって合成された画像をディスプレイに表示する。
【００２６】
上記した構成において、ＤＶＤプレイヤーからＮＴＳＣ信号が入力されると、このＮＴＳＣ信号は映像信号処理部１０にて復調され、ＲＧＢ映像データとしてビデオバッファ１１に格納される。
【００２７】
そして、ビデオバッファ１１に格納された映像データは、文字認識部１２により、背景映像と文字画像に分離され、文字画像の文字を認識した文字データと文字画像の位置する部位が色補間された背景映像が出力される。
【００２８】
文字認識部１２によって認識された文字が誤認識されている場合には、誤り訂正部１３により、誤認識されていると判定した文字が正規の文字に訂正される。
【００２９】
そして、文字データ変換部１５にて、文字認識部１２によって認識された文字画像が文字画像記憶部１６から読み出された文字画像に変換される。なお、誤り訂正部１３により、正規の文字への訂正がなされた場合には、正規の文字画像が文字画像記憶部１６から読み出された文字画像に変換される。
【００３０】
この変換された文字画像は、サイズ位置変更部１７にて、予め定められたサイズと位置に変更され画像合成部に入力される。
【００３１】
そして、画面合成部１８により、色変換部１２ｂによって色補間された背景映像とサイズ位置変更部１７によってサイズと位置が変更された文字画像が合成され、この合成された映像が表示部１９に表示される。
【００３２】
図２に、表示部１９に表示された合成画像の表示例を示す。図に示す文字画像「ＡＢＣ」は、文字画像記憶部１６に記憶された文字画像を用いて表示される。したがって、映像情報の乱れと関係なく、明瞭な文字画像が表示される。
【００３３】
上記した構成によれば、文字認識部によって認識された文字を表す文字画像を文字画像記憶部から読み出し、この読み出した文字画像を文字認識部によって認識された文字画像と置換し、この置換した文字画像と背景映像が合成された画像が表示部１９に表示されるので、映像情報に乱れが生じても、文字の視認性を確保することができる。
【００３４】
また、認識された文字が誤認識されていることを判定した場合、誤認識されていると判定した文字が正規の文字に訂正されるので、文字画像の文字を認識する際に誤認識しても、認識した文字を正規の文字に修正して表示することが可能である。
【００３５】
また、置換された文字画像が予め定められた大きさに変更されるので、例えば、映像情報に含まれる文字画像が小さくても、予め定められた大きさに拡大表示され、視認性を向上させることができる。
【００３６】
（第２実施形態）
本実施形態に係る表示装置１の構成を図３に示す。本表示装置１は、図１に示した第１実施形態の表示装置と比較して、修正履歴記憶部２０を備えた点が異なる。
【００３７】
本表示装置１は、ユーザの操作に応じて表示部１９に表示された文字画像を修正することが可能となっている。具体的には、ユーザの操作に応じて文字画像を修正するための画面を表示させ、この画面に従って修正後の文字画像が入力されると、文字画像の修正前と修正後の対応関係が修正履歴記憶部２０に記憶されるようになっている。
【００３８】
文字データ変換部１５は、文字認識部１２によって認識された文字にユーザの操作応じて修正された文字が含まれる場合、修正履歴記憶部に記憶された内容に従って文字画像を修正し、該修正した文字画像を優先して置換する。
【００３９】
したがって、表示部１９に表示された文字画像に誤りがあることをユーザが認識すると、ユーザは文字画像を修正するための画面を表示させ、この画面に従って文字画像を修正し、次回から、修正された内容に従って文字画像を表示させることが可能となる。
【００４０】
（他の実施形態）
上記実施形態では、文字データ変換部１５が、入力される全ての文字に対して文字画像の置換を行う例を示したが、誤認識した文字あるいは表示品位の悪い文字に対してのみ、文字画像の置換を行うようにしてもよい。また、文字データ変換部１５は、置換により文字画像を拡大して表示することになるか否かを判定し、拡大表示すると判定したときに、文字画像の置換を行うようにしてもよい。小さな文字画像をグラフィック画像のまま拡大して表示する場合、文字画像の表示品位が悪化することが考えられるが、このように拡大表示すると判定したときに、文字画像を置換するようにして、文字画像の表示品位を確保するようにしてもよい。
【００４１】
また、上記実施形態では、文字画像記憶部１６に、特定のフォントで文字画像を描画するフォントデータとして文字画像が記憶されている例を示したが、例えば、複数のフォントデータで文字画像を描画するフォントデータとして文字画像を記憶しておき、ユーザ設定等により特定されたフォントデータを用いて文字画像を描画するようにしてもよい。
【００４２】
また、上記実施形態では、サイズ位置変更部１７が、文字データ変換部１５によって置換された文字画像を予め定められたサイズと位置に変更する例を示したが、ユーザの操作に応じて文字画像のサイズと位置をそれぞれ変更できるようにしてもよい。
【図面の簡単な説明】
【００４３】
【図１】本発明の第１実施形態に係る表示装置の構成を示す図である。
【図２】表示装置の表示例を示す図である。
【図３】本発明の第２実施形態に係る表示装置の構成を示す図である。
【符号の説明】
【００４４】
１…表示装置、１０…映像信号処理部、１１…ビデオバッファ、１２…文字認識部、
１３…誤り訂正部、１４…辞書データ記憶部、１５…文字データ変換部、
１６…文字画像記憶部、１７…サイズ位置変更部、１８…画面合成部、１９…表示部。 
【図１】
2008158859.tif 000003
【図２】
2008158859.tif 000004
【図３】
2008158859.tif 000005